【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
交流電圧を直流電圧に変換する電源装置において、
前記交流電圧を整流および平滑する整流平滑手段と、
前記整流平滑手段により整流および平滑された電圧を変換して第一の直流電圧を出力する第一のＤＣＤＣコンバータと、
前記第一の直流電圧を、スイッチング手段によりスイッチングすることにより前記第一の直流電圧よりも低い第二の直流電圧を出力する第二のＤＣＤＣコンバータと、を有し、
前記第一のＤＣＤＣコンバータの前記第一の直流電圧を低下させることにより前記第二のＤＣＤＣコンバータの前記スイッチング手段を連続導通状態にすることを特徴とする電源装置。
【請求項２】
前記第一の直流電圧が低下して前記第二の直流電圧以下の直流電圧になると、前記スイッチング手段が前記連続導通状態になることを特徴とする請求項１に記載の電源装置。
【請求項３】
前記第一のＤＣＤＣコンバータの出力電圧を検出してフィードバックするフィードバック手段を有し、
前記フィードバック手段の基準電圧を切り替えることにより、前記第一のＤＣＤＣコンバータの出力電圧を前記第一の直流電圧から前記第二の直流電圧以下の直流電圧に低下させることを特徴とする請求項２に記載の電源装置。
【請求項４】
前記第二のＤＣＤＣコンバータの出力電圧が前記第二の直流電圧以下の電圧となるように、前記第一のＤＣＤＣコンバータのスイッチング手段の動作を制御することを特徴とする請求項１ないし３のいずれか１項に記載の電源装置。
【請求項５】
前記第一のＤＣＤＣコンバータは、前記電源装置の起動時にスイッチング手段を駆動するための起動抵抗を有し、前記起動抵抗の抵抗値を切り替えることにより、前記第一のＤＣＤＣコンバータの出力電圧を前記第二の直流電圧以下の直流電圧に低下させることを特徴とする請求項１ないし４のいずれか１項に記載の電源装置。
【請求項６】
前記第一のＤＣＤＣコンバータからの前記第一の直流電圧を負荷へ供給または停止するスイッチを有し、
前記スイッチをオフして前記負荷への前記第一の直流電圧の供給を停止した後に、前記第一のＤＣＤＣコンバータの出力電圧を低下させることを特徴とする請求項１ないし５のいずれか１項に記載の電源装置。
【請求項７】
前記第一のＤＣＤＣコンバータからの前記第一の直流電圧を負荷へ供給または停止するスイッチを有し、
前記スイッチをオンする際に、前記第一のＤＣＤＣコンバータの出力電圧が前記第一の直流電圧より低下した状態から前記第一の直流電圧に復帰させた後に前記スイッチをオンすることを特徴とする請求項１ないし６のいずれか１項に記載の電源装置。
【請求項８】
画像を形成するための画像形成手段と、
交流電圧を直流電圧に変換して、変換した直流電圧を前記画像形成手段に供給する電源と、を備え、
前記電源は、
前記交流電圧を整流および平滑する整流平滑手段と、
前記整流平滑手段により整流および平滑された電圧を変換して第一の直流電圧を前記画像形成手段に出力する第一のＤＣＤＣコンバータと、
前記第一の直流電圧を、スイッチング手段によりスイッチングすることにより前記第一の直流電圧よりも低い第二の直流電圧を前記画像形成手段に出力する第二のＤＣＤＣコンバータと、を有し、
前記第一のＤＣＤＣコンバータの前記第一の直流電圧を低下させることにより前記第二のＤＣＤＣコンバータの前記スイッチング手段を連続導通状態にすることを特徴とする画像形成装置。
【請求項９】
前記画像形成装置の省電力状態において、前記第一の直流電圧が低下して前記第二の直流電圧以下の直流電圧になると、前記スイッチング手段が前記連続導通状態になることを特徴とする請求項８に記載の画像形成装置。
【請求項１０】
前記第一のＤＣＤＣコンバータの出力電圧を検出してフィードバックするフィードバック手段を有し、
前記画像形成装置の省電力状態において、前記フィードバック手段の基準電圧を切り替えることにより、前記第一のＤＣＤＣコンバータの出力電圧を前記第一の直流電圧から前記第二の直流電圧以下の直流電圧に低下させることを特徴とする請求項９に記載の画像形成装置。
【請求項１１】
前記画像形成装置の省電力状態において、前記第二のＤＣＤＣコンバータの出力電圧が前記第二の直流電圧以下の電圧となるように、前記第一のＤＣＤＣコンバータのスイッチング手段の動作を制御することを特徴とする請求項８ないし１０のいずれか１項に記載の画像形成装置。
【請求項１２】
前記第一のＤＣＤＣコンバータは、前記電源装置の起動時にスイッチング手段を駆動するための起動抵抗を有し、
前記画像形成装置の省電力状態において、前記起動抵抗の抵抗値を切り替えることにより、前記第一のＤＣＤＣコンバータの出力電圧を前記第二の直流電圧以下の直流電圧に低下させることを特徴とする請求項８ないし１１のいずれか１項に記載の画像形成装置。
【請求項１３】
前記第一のＤＣＤＣコンバータからの前記第一の直流電圧を供給または停止するスイッチを有し、
前記画像形成装置の省電力状態において、前記スイッチをオフして前記画像形成手段への前記第一の直流電圧の供給を停止した後に、前記第一のＤＣＤＣコンバータの出力電圧を低下させることを特徴とする請求項８ないし１２のいずれか１項に記載の画像形成装置。
【請求項１４】
前記第一のＤＣＤＣコンバータからの前記第一の直流電圧を供給または停止するスイッチを有し、
前記画像形成装置の省電力状態から通常動作状態に復帰する際において、前記第一のＤＣＤＣコンバータの出力電圧が前記第一の直流電圧より低下した状態から前記第一の直流電圧に復帰させた後に前記スイッチをオンすることを特徴とする請求項８ないし１３のいずれか１項に記載の画像形成装置。
【請求項１５】
前記画像形成手段は、記録材に画像を形成するために駆動する駆動手段を有し、
前記第一のＤＣＤＣコンバータからの前記第一の直流電圧を前記駆動手段に供給することを特徴とする請求項８ないし１４のいずれか１項に記載の画像形成装置。
【請求項１６】
前記画像形成手段の動作を制御する制御手段を有し、
前記第二のＤＣＤＣコンバータからの前記第二の直流電圧を前記制御手段に供給することを特徴とする請求項８ないし１５のいずれか１項に記載の画像形成装置。
【手続補正２】
【補正対象書類名】明細書
【補正対象項目名】００１１
【補正方法】変更
【補正の内容】
【００１１】
前記課題を解決するため、本発明は、以下の構成を備える。
【手続補正３】
【補正対象書類名】明細書
【補正対象項目名】００１２
【補正方法】変更
【補正の内容】
【００１２】
（１）交流電圧を直流電圧に変換する電源装置において、前記交流電圧を整流および平滑する整流平滑手段と、前記整流平滑手段により整流および平滑された電圧を変換して第一の直流電圧を出力する第一のＤＣＤＣコンバータと、前記第一の直流電圧を、スイッチング手段によりスイッチングすることにより前記第一の直流電圧よりも低い第二の直流電圧を出力する第二のＤＣＤＣコンバータと、を有し、前記第一のＤＣＤＣコンバータの前記第一の直流電圧を低下させることにより前記第二のＤＣＤＣコンバータの前記スイッチング手段を連続導通状態にすることを特徴とする電源装置。
（２）画像を形成するための画像形成手段と、交流電圧を直流電圧に変換して、変換した直流電圧を前記画像形成手段に供給する電源と、を備え、前記電源は、前記交流電圧を整流および平滑する整流平滑手段と、前記整流平滑手段により整流および平滑された電圧を変換して第一の直流電圧を前記画像形成手段に出力する第一のＤＣＤＣコンバータと、前記第一の直流電圧を、スイッチング手段によりスイッチングすることにより前記第一の直流電圧よりも低い第二の直流電圧を前記画像形成手段に出力する第二のＤＣＤＣコンバータと、を有し、前記第一のＤＣＤＣコンバータの前記第一の直流電圧を低下させることにより前記第二のＤＣＤＣコンバータの前記スイッチング手段を連続導通状態にすることを特徴とする画像形成装置。
【手続補正４】
【補正対象書類名】明細書
【補正対象項目名】００１６
【補正方法】変更
【補正の内容】
【００１６】
図１は、本実施例の電源装置の回路図である。図１において、前述した従来例の構成と重複する部分は同じ符号で示している。従来例と同様である、交流電源からの交流電圧を整流および平滑する整流平滑回路の動作、第一のＤＣＤＣコンバータ、第二のＤＣＤＣコンバータによる電圧を変換する動作等、従来例と重複する部分は説明を省略する。なお、Ａが駆動系電源電圧を供給する第一のＤＣＤＣコンバータであり、Ｂが制御系電源電圧を供給する第二のＤＣＤＣコンバータである。Ｃはロードスイッチである。
図１において、１２５、１２６は抵抗、１２７はトランジスタである。本電源装置は搭載される機器の状態に従って通常モードと待機モードの２つの状態に備えており、この２つの状態を切り替え可能である。
【手続補正５】
【補正対象書類名】明細書
【補正対象項目名】００２０
【補正方法】変更
【補正の内容】
【００２０】
第二のＤＣＤＣコンバータは前述したように第一のＤＣＤＣコンバータの出力電圧から第二の直流電圧を生成している。待機時の動作により第一のＤＣＤＣコンバータの出力電圧が低下するとＦＥＴ７３２のオン時間を長く（オンデューティを大きく）して出力電圧を第二の直流電圧に一定に維持するように動作する。第一のＤＣＤＣコンバータの出力電圧が第二の電源電圧以下になると、第二のＤＣＤＣコンバータのＦＥＴ７３２はオン状態に固定となる（オンデューティ１００％状態）。さらに第一のＤＣＤＣコンバータ電圧は低下し、第三の直流電圧にまで低下する。つまり、第二のＤＣＤＣコンバータは連続導通状態になり、第１のＤＣＤＣコンバータの出力電圧はより低い直流電圧（第三の直流電圧）になる。